【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
液体流を受け入れて分配するための液体分配器であって、
並列かつ略平行な関係に配置され、それぞれが自身の内部に前記液体流の一部を受け入れて蓄積させるための床によって相互接続されかつ間隔を開けて配置された側壁を有する長尺な複数の第１トラフと、
各第１トラフの複数の側壁の内の少なくとも１つにあり、各第１トラフの内部に蓄積した前記液体流の前記一部を、関連したトラフから個別第１排出流として排出可能な複数の液体排出孔と、
それぞれが複数の前記第１トラフの内の１つに隣接しかつ複数の前記第１トラフの内の前記１つから前記個別第１排出流の内の少なくともいくつかを受け入れる位置に配置され、自身の内部に第１排出流の一部を受け入れて蓄積させるための床によって相互接続されかつ間隔を開けて配置された側壁を有する複数の第２トラフと、
各第２トラフの複数の側壁の内の少なくとも１つにあり、各第２のトラフ内に蓄積した前記個別第１排出流の前記一部を、関連した第２トラフから個別第２排出流として排出可能な複数の液体排出孔と、
前記個別第２排出流の内の少なくともいくつかを受け止め、前記個別第２の排出流が自身に沿って下降し、その下側エッジから滴下する際に、その個別第２排出流の水平拡散を引き起こすように、前記第２トラフの側壁にある複数の液体排出孔の内の少なくともいくつかから予め選定された距離だけ間隔を開けて配置されたスプラッシュバッフルと、を有する液体分配器。
【請求項２】
複数の前記第２トラフのそれぞれは、複数の前記第１トラフの内の１つに平行に延び、それに接続されるかまたはその近くに間隔を開けて配置される請求項１に記載の液体分配器。
【請求項３】
複数の前記第２トラフのそれぞれは、複数の前記第１トラフの内の１つに対して斜めに延びる請求項１に記載の液体分配器。
【請求項４】
複数の前記第２トラフのそれぞれは、複数の前記第１トラフの内の１つに対して直角方向に延びる請求項１に記載の液体分配器。
【請求項５】
前記スプラッシュバッフルは、前記個別第２排出流の前記水平拡散を促進するための粗い質感の表面を含む請求項１に記載の液体分配器。
【請求項６】
複数の前記スプラッシュバッフルのそれぞれは、支持シートと前記支持シートに接続された粗い質感のシートを有する請求項１に記載の液体分配器。
【請求項７】
前記第２のトラフの床の下面は、前記下面に沿った液体の流れを妨げるための構造体を含む請求項１に記載の液体分配器。
【請求項８】
液体流を受け入れて分配するための液体分配器であって、
並列かつ略平行な関係に配置され、それぞれが自身の内部に前記液体流の一部を受け入れて蓄積させるための床によって相互接続されかつ間隔を開けて配置された側壁を有する長尺な複数の第１トラフと、
各第１トラフの複数の側壁の内の少なくとも１つにあり、各第１トラフの内部に蓄積した前記液体流の前記一部を、関連したトラフから個別第１排出流として排出可能な複数の液体排出孔と、
それぞれが複数の前記第１トラフの内の１つに隣接しかつ複数の前記第１トラフの内の前記１つから前記個別第１排出流の内の少なくともいくつかを受け入れる位置に配置され、自身の内部に第１排出流の一部を受け入れて蓄積させるための床によって相互接続されかつ間隔を開けて配置された側壁を有する複数の第２トラフと、
各第２トラフの複数の側壁の内の少なくとも１つにあり、各第２のトラフ内に蓄積した前記個別第１排出流の前記一部を、関連した第２トラフから個別第２排出流として排出可能な複数の液体排出孔と、
前記個別第２排出流の内の少なくともいくつかを受け止め、前記個別第２の排出流が自身に沿って下降し、その下側エッジから滴下する際に、その個別第２排出流の水平拡散を引き起こすように、前記第２トラフの側壁にある複数の液体排出孔の内の少なくともいくつかから予め選定された距離だけ間隔を開けて配置されたスプラッシュバッフルと、
前記第２のトラフの前記床の下面に含まれ、前記下面に沿った液体の流れを妨げるための構造体と、を有し、前記構造体は、くぼみを含む液体分配器。
【請求項９】
液体流を受け入れて分配するための液体分配器であって、
並列かつ略平行な関係に配置され、それぞれが自身の内部に前記液体流の一部を受け入れて蓄積させるための床によって相互接続されかつ間隔を開けて配置された側壁を有する長尺な複数の第１トラフと、
各第１トラフの複数の側壁の内の少なくとも１つにあり、各第１トラフの内部に蓄積した前記液体流の前記一部を、関連したトラフから個別第１排出流として排出可能な複数の液体排出孔と、
それぞれが複数の前記第１トラフの内の１つに隣接しかつ複数の前記第１トラフの内の前記１つから前記個別第１排出流の内の少なくともいくつかを受け入れる位置に配置され、自身の内部に第１排出流の一部を受け入れて蓄積させるための床によって相互接続されかつ間隔を開けて配置された側壁を有する複数の第２トラフと、
各第２トラフの複数の側壁の内の少なくとも１つにあり、各第２のトラフ内に蓄積した前記個別第１排出流の前記一部を、関連した第２トラフから個別第２排出流として排出可能な複数の液体排出孔と、
前記個別第２排出流の内の少なくともいくつかを受け止め、前記個別第２の排出流が自身に沿って下降し、その下側エッジから滴下する際に、その個別第２排出流の水平拡散を引き起こすように、前記第２トラフの側壁にある複数の液体排出孔の内の少なくともいくつかから予め選定された距離だけ間隔を開けて配置されたスプラッシュバッフルと、
前記第１トラフの側壁に隣接した前記第２トラフの側壁にあり、前記第１トラフの側壁の液体排出孔に位置合わせされた流入孔と、を含む液体分配器。
【請求項１０】
液体排出孔を有する前記第２トラフの側壁は、それぞれ、関連した第１トラフに対して傾斜した下側パネルを含み、前記第２トラフの側壁の液体排出孔は、前記下側パネルにある請求項１に記載の液体分配器。
【請求項１１】
前記第２トラフの側壁と前記スプラッシュバッフルとの間に配置されたスペーサ要素を含む請求項１に記載の液体分配器。
【請求項１２】
液体流を受け入れて分配するための液体分配器であって、
並列かつ略平行な関係に配置され、それぞれが自身の内部に前記液体流の一部を受け入れて蓄積させるための床によって相互接続されかつ間隔を開けて配置された側壁を有する長尺な複数の第１トラフと、
各第１トラフの複数の側壁の内の少なくとも１つにあり、各第１トラフの内部に蓄積した前記液体流の前記一部を、関連したトラフから個別第１排出流として排出可能な複数の液体排出孔と、
それぞれが複数の前記第１トラフの内の１つに隣接しかつ複数の前記第１トラフの内の前記１つから前記個別第１排出流の内の少なくともいくつかを受け入れる位置に配置され、自身の内部に第１排出流の一部を受け入れて蓄積させるための床によって相互接続されかつ間隔を開けて配置された側壁を有する複数の第２トラフと、
各第２トラフの複数の側壁の内の少なくとも１つにあり、各第２のトラフ内に蓄積した前記個別第１排出流の前記一部を、関連した第２トラフから個別第２排出流として排出可能な複数の液体排出孔と、
前記個別第２排出流の内の少なくともいくつかを受け止め、前記個別第２の排出流が自身に沿って下降し、その下側エッジから滴下する際に、その個別第２排出流の水平拡散を引き起こすように、前記第２トラフの側壁にある複数の液体排出孔の内の少なくともいくつかから予め選定された距離だけ間隔を開けて配置されたスプラッシュバッフルと、
前記第２トラフの側壁と前記スプラッシュバッフルとの間に配置されたスペーサ要素と、を含み、前記スペーサ要素は、前記第２トラフの側壁に形成されたくぼみを含む液体分配器。
【請求項１３】
並列かつ略平行な関係に配置された長尺な複数の第１トラフとそれぞれが複数の前記第１トラフの内の１つに隣接した位置に配置された複数の第２トラフとを有する液体分配器を使用して、物質移動カラムの中に配置された物質移動装置の層に液体を分配する方法であって、
前記液体分配器の前記第１トラフの中に液体流を受け入れ、前記第１トラフの内部に前記液体流を蓄積させることと、
各第１トラフの少なくとも１つの側壁に設けられた液体排出孔を通って、前記第１トラフから前記液体流を排出することと、
前記第１トラフから排出された液体流を前記第２トラフの中に受け入れ、前記第２トラフの内部に前記液体流を蓄積させることと、
各第２トラフの少なくとも１つの側壁に設けられた液体排出孔を通って、前記第２トラフから前記液体流を排出することと、
前記第２トラフの１つの側壁に設けられた液体排出孔から予め選定された距離だけ間隔を開けて配置されたスプラッシュバッフル上で、前記第２トラフから排出された液体流を受け止めることと、
前記スプラッシュバッフル上で受け止められた液体流が前記スプラッシュバッフル上を下降する際に、その液体流を水平に拡散させることと、
前記スプラッシュバッフルの下側エッジから前記物質移動装置の下方の層の中に、前記液体流を滴下させることと、を含む方法。
【請求項１４】
前記第１トラフの上端に配置された分離ボックスの中に前記液体流を受け入れ、前記分離ボックスから前記第１トラフの中に前記液体流を送ることを含む請求項１３に記載の方法。
【請求項１５】
前記液体流は、前記第１トラフから複数の個別第１排出流として排出される請求項１３に記載の方法。
【請求項１６】
前記液体流は、前記第２トラフから個別第２の排出流を通って排出される請求項１５に記載の方法。
【請求項１７】
並列かつ略平行な関係に配置された長尺な複数の第１トラフとそれぞれが複数の前記第１トラフの内の１つに隣接した位置に配置された複数の第２トラフとを有する液体分配器を使用して、物質移動カラムの中に配置された物質移動装置の層に液体を分配する方法であって、
前記液体分配器の前記第１トラフの中に液体流を受け入れ、前記第１トラフの内部に前記液体流を蓄積させることと、
各第１トラフの少なくとも１つの側壁に設けられた液体排出孔を通って、前記第１トラフから前記液体流を排出することと、
前記第１トラフから排出された液体流を前記第２トラフの中に受け入れ、前記第２トラフの内部に前記液体流を蓄積させることと、
各第２トラフの少なくとも１つの側壁に設けられた液体排出孔を通って、前記第２トラフから前記液体流を排出することと、
前記第２トラフの１つの側壁に設けられた液体排出孔から予め選定された距離だけ間隔を開けて配置されたスプラッシュバッフル上で、前記第２トラフから排出された液体流を受け止めることと、
前記スプラッシュバッフル上で受け止められた液体流が前記スプラッシュバッフル上を下降する際に、その液体流を水平に拡散させることと、
前記スプラッシュバッフルの下側エッジから前記物質移動装置の下方の層の中に、前記液体流を滴下させることと、を含み、
前記液体流は、前記第２トラフから個別第２の排出流を通って排出され、
前記個別第１排出流は、液体排出孔を含む前記第２トラフの複数の側壁の内の前記少なくとも１つの側壁に対向する前記第２トラフの側壁の流入孔を通って、前記第２トラフに流入する方法。
【請求項１８】
前記個別第１排出流は、前記第２トラフの開いた上端を通って、前記第２トラフに流入する請求項１６に記載の方法。
【請求項１９】
各第２トラフの複数の側壁の内の２つに設けられた液体排出孔を通って、前記第２トラフから前記液体流を排出することを含む請求項１６に記載の方法。